(57)【特許請求の範囲】
【請求項１】
容器体（Ａ）に嵌着固定した固定吸引部（Ｂ１）に対して、上方付勢状態で上下動可能に作動噴出部（Ｂ２）を装着したポンプ（Ｂ）に於ける合成樹脂製のポンプヘッドであって、作動噴出部（Ｂ２）を構成するステム（３１）の上端に嵌着する装着筒（４０）を備えるとともに、装着筒（４０）上にノズル（４１）を連設してなり、ノズル（４１）を、装着筒（４０）内と連通する横流路（ｐ１）を画成した後端開口の横筒（４１ａ）と、横流路（ｐ１）先端に連続する縦流路（ｐ２）を画成した縦筒４１ｂとで構成し、ノズル（４１）の後端開口を液密に嵌着した栓体（４２）で閉塞したことを特徴とするポンプヘッド。
【請求項２】
栓体（４２）を、ノズル（４１）の横筒（４１ａ）の後端開口を開放した状態で、可撓性の連結片（４５）を介して横筒（４１ａ）と一体に形成した請求項１記載のポンプヘッド。
【請求項３】
栓体（４２）をノズル（４１）と別体に形成して、ノズル（４１）の横筒（４１ａ）の後端開口に液密に嵌着した請求項１記載のポンプヘッド。
【請求項４】
頂板（４３ａ）の周縁部より周壁４３ｂを垂設した有頂の押圧用筒（４３）を備え、頂板（４３ａ）裏面から周壁４３ｂを貫通してその前方へ横筒（４１ａ）を延設したノズル（４１）を一体に備え、押圧用筒（４３）後部に横筒（４１ａ）の後端を開口した請求項１乃至請求項３のいずれか１項に記載のポンプヘッド。
【請求項５】
押圧用筒（４３）の後端部を下方に凹ませた凹部４４内にノズル（４１）の横筒（４１ａ）の後端を開口し、栓体（４２）を、凹部４４内に嵌合して押圧用筒（４３）の外形を復元する基部（４２ａ）と、基部（４２ａ）より突設してノズル（４１）の横筒（４１ａ）後端部に液密に嵌着する栓部（４２ｂ）とで構成した請求項４記載のポンプヘッド。
【発明の詳細な説明】
【技術分野】
【０００１】
本発明はポンプヘッドに関する。
【背景技術】
【０００２】
容器体にポンプを装着し、容器体内の液をそのまま液として吐出したり或いは泡として吐出するポンプ容器が種々提案されている。
【０００３】
これらのポンプ容器に於けるポンプは、容器体に固定する固定吸引部と、固定吸引部に対して上方付勢状態で上下動可能に装着する作動噴出部とを備えたものが知られている。例えば、液の注出を行うものを例に採れば、固定吸引部として、容器体に嵌着固定するための装着キャップと、容器体内に垂下したシリンダと、シリンダの下端部に嵌着してその下端を容器体内に垂下した吸上げ用のパイプとを備え、また、作動噴出部として、シリンダ内を摺動するピストンを下部に連繋させたステムの上端にポンプヘッドを嵌着したものを、上方付勢状態で上下動可能に装着している。そして、作動噴出部を上下動させることで、シリンダ内下部に設けた吸込み弁や、ステム内に設けた吐出弁等を含む内蔵ポンプ機構の作用により容器体内の液をポンプヘッドのノズルより吐出する（例えば、特許文献１参照）。
【０００４】
上記したポンプ容器の作動噴出部の上端を構成するポンプヘッドは、特許文献１に記載の例の様に、液の適所への吐出を目的として、ノズルを下方に湾曲させたものが知られている。
【先行技術文献】
【特許文献】
【０００５】
【特許文献１】特開２００１−０７３７１９号公報
【発明の概要】
【発明が解決しようとする課題】
【０００６】
しかしながら、この様なノズルを湾曲したものにあっては、その成形時に型抜きが、特にノズル部分の型抜きが悪く、成形性を損ねる虞があり、歩留りも悪くなるという虞がある。一方、ノズルの湾曲のないものは吐出液が遠方に飛びだす傾向があり、例えば掌等の目的とする吐出適所への吐出が思うようにいかない場合がある。
【０００７】
本発明は上記した点に鑑みてなされたもので、ノズル先端部からの液、泡等の吐出が、目的とする部位に的確に吐出することができ、しかも、ノズルヘッドの成形性も良く、成形品に変形が生じる等の不都合を確実に解消でき、また、歩留りも良いポンプヘッドを提案するものである。
【課題を解決するための手段】
【０００８】
第１の手段として、以下の通り構成した。即ち、容器体Ａに嵌着固定した固定吸引部Ｂ１に対して、上方付勢状態で上下動可能に作動噴出部Ｂ２を装着したポンプＢに於ける合成樹脂製のポンプヘッドであって、作動噴出部Ｂ２を構成するステム３１の上端に嵌着する装着筒４０を備えるとともに、装着筒４０上にノズル４１を連設してなり、ノズル４１を、装着筒４０内と連通する横流路ｐ１を画成した後端開口の横筒４１ａと、横流路ｐ１先端に連続する縦流路ｐ２を画成した縦筒４１ｂとで構成し、ノズル４１の後端開口を液密に嵌着した栓体４２で閉塞した。
【０００９】
第２の手段として、以下の通り構成した。即ち、前記第１の手段に於いて、栓体４２を、ノズル４１の横筒４１ａの後端開口を開放した状態で、可撓性の連結片４５を介して横筒４１ａと一体に形成した。
【００１０】
第３の手段として、以下の通り構成した。即ち、前記第１の手段に於いて、栓体４２をノズル４１と別体に形成して、ノズル４１の横筒４１ａの後端開口に液密に嵌着した。
【００１１】
第４の手段として、以下の通り構成した。即ち、前記第１の手段乃至第３の手段のいずれかの手段に於いて、頂板４３ａの周縁部より周壁４３ｂを垂設した有頂の押圧用筒４３を備え、頂板４３ａ裏面から周壁４３ｂを貫通してその前方へ横筒４１ａを延設したノズル４１を一体に備え、押圧用筒４３後部に横筒４１ａの後端を開口した。
【００１２】
第５の手段として、以下の通り構成した。即ち、前記第４の手段に於いて、押圧用筒４３の後端部を下方に凹ませた凹部４４内にノズル４１の横筒４１ａの後端を開口し、栓体４２を、凹部４４内に嵌合して押圧用筒４３の外形を復元する基部４２ａと、基部４２ａより突設してノズル４１の横筒４１ａ後端部に液密に嵌着する栓部４２ｂとで構成した。
【発明の効果】
【００１３】
本発明によれば、ノズル４１を、装着筒４０内と連通する横流路ｐ１を画成した後端開口の横筒４１ａと、横流路ｐ１先端に連続する縦流路ｐ２を画成した縦筒４１ｂとで構成し、ノズル４１の後端開口を液密に嵌着した栓体４２で閉塞したので、ノズル４１の先端開口が下方を向くこととなり、噴出液をむやみに飛び散らすこともなく所定の噴出部位、例えば掌等に確実に噴出することができる。しかも、ノズル４１を構成する横筒４１ａは後端を開口し、縦筒４１ｂは下端を開口しているため、それぞれ金型の型抜きを不都合なく行えて成形性が向上し、歩留りの良いポンプヘッドを提案できる。
【００１４】
栓体４２を、ノズル４１の横筒４１ａの後端開口を開放した状態で、可撓性の連結片４５を介して横筒４１ａと一体に形成した場合には、全体を一体成形することができるため生産効率が良く、また上記した成形性向上、歩留りの良さ等の効果も同様に発揮する。
【００１５】
栓体４２をノズル４１と別体に形成して、ノズル４１の横筒４１ａの後端開口に液密に嵌着した場合には、横筒４１ａの後端開口を液密に閉塞できる条件さえあれば栓体４２の大きさ形状を自由に選択できる利点があり、また、上記した成形性向上、歩留りの良さ等の効果も同様に発揮する。
【００１６】
頂板４３ａの周縁部より周壁４３ｂを垂設した有頂の押圧用筒４３を備え、頂板４３ａ裏面から周壁４３ｂを貫通してその前方へ横筒４１ａを延設したノズル４１を一体に備え、押圧用筒４３後部に横筒４１ａの後端を開口した場合には、押圧用筒４３の頂板４３ａにより作動噴出部Ｂ２の押し下げがより容易に行えるとともに、上記した成形性向上、歩留りの良さ等の効果も同様に発揮する。
【００１７】
押圧用筒４３の後端部を下方に凹ませた凹部４４内にノズル４１の横筒４１ａの後端を開口し、栓体４２を、凹部４４内に嵌合して押圧用筒４３の外形を復元する基部４２ａと、基部４２ａより突設してノズル４１の横筒４１ａ後端部に液密に嵌着する栓部４２ｂとで構成した場合には、全体の見栄えが良くなり、表品価値が向上する。また、上記した成形性向上、歩留りの良さ等の効果も同様に発揮する。
【図面の簡単な説明】
【００１８】
【図１】容器体にポンプを装着した状態の縦断面図である。（実施例１）
【図２】ポンプヘッドの平面図である。（実施例１）
【図３】ポンプヘッドの縦断面図である。（実施例１）
【図４】ポンプヘッドの底面図である。（実施例１）
【図５】容器体にポンプを装着した状態の縦断面図である。（実施例２）
【図６】ポンプヘッドの平面図である。（実施例２）
【発明を実施するための形態】
【００１９】
以下、本発明の形態を図面を参照して説明する。
【００２０】
図１は容器体Ａに装着したポンプＢを示す。
【００２１】
容器体Ａは胴部１０より肩部１１を介して口頸部１２を起立している。
【００２２】
ポンプＢは、容器体Ａに対して嵌着固定した固定吸引部Ｂ１に対して、上方付勢状態で上下動可能に作動噴出部Ｂ２を装着している。
【００２３】
図示例に於いて固定吸引部Ｂ１は、容器体Ａに装着するための装着キャップ２０と、容器体Ａ内に垂下したシリンダ２１とを備え、シリンダ２１内の下端部に吸込み弁２２を備えている。また、シリンダ２１の上端部には保護キャップ２３を嵌着しており、更に、シリンダ２１下端にパイプ２４の上端を嵌着してその下端を容器体Ａ内底部まで垂下している。
【００２４】
作動噴出部Ｂ２は、シリンダ２１内を摺動するピストン３０を下部に突設したステム３１を備えており、ステム３１内上部には玉弁３２を弁体とする吐出弁３３が設けられている。更に、ステム３１の上端には本発明のポンプヘッドＣを嵌着している。この作動噴出部Ｂ２は、コイルスプリングｓにより上方付勢されており、固定吸引部Ｂ１に対して上下動可能に装着されている。
【００２５】
本発明に於けるポンプヘッドＣは合成樹脂製で、作動噴出部Ｂ２を構成するステム３１の上端に嵌着し、ポンプＢにより吸い上げた容器体Ａ内の液を吐出するためのものである。装着するポンプＢの形態は上記した液を吐出するものに限らず、泡を吐出する形態のものであってよく、少なくとも作動噴出部Ｂ２を構成するステム３１の上端に嵌着し、作動噴出部を上下動させることで、容器体Ａ内の液をそのまま或いは泡状に吐出することができる公知のポンプ機構を備えたものであれば適用が可能である。
【００２６】
図１に示すポンプヘッドＣは全体を合成樹脂により一体に成形されたもので、ステム３１の上端に嵌着する装着筒４０を備えるとともに、装着筒４０上にノズル４１を連設している。ノズル４１は、装着筒４０内と連通孔ｈを介して連通する横流路ｐ１を画成した後端開口の横筒４１ａと、横流路ｐ１先端に連続する縦流路ｐ２を画成した横筒４１ａに連続する縦筒４１ｂとで構成している。また、ノズル４１の横筒４１ａの後端開口は栓体４２を液密に嵌着して閉塞している。この場合の縦筒４１ｂと横筒４１ａとの連結部位に於いては、頂面を閉塞した縦筒４１ｂを採用したものとなっている。また、本例の場合横流路ｐ１は水平に形成されているが、これに限らず、傾斜したものであっても湾曲したものであっても良い。同様に縦流路ｐ２も垂直な場合に限らず、傾斜したものであっても、湾曲したものであっても良い。それに伴って、横筒４１ａ及び縦筒４１ｂもそれらを画成する形状とすれば良い。
【００２７】
本例では頂板４３ａの周縁部より周壁４３ｂを垂設した有頂の押圧用筒４３を備えており、頂板４３ａの裏面に頂板４３ａと一部を共有する横筒４１ａの後部を一体に形成し、横筒４１ａの前部を周壁４３ｂを貫通してその前方へ突設している。また、頂板４３ａの後端部中央を凹ませた凹部４４を形成しており、凹部４４内に横筒４１ａの後端部を開口している。更に、栓体４２は、横筒４１ａの後端縁より延設した可撓性の連結片４５を介して一体に形成されている。
【００２８】
また、周壁４３ｂの内周には螺条を周設し、作動噴出部Ｂ２を押し下げた状態で保護キャップ２３の外周に螺着係止可能に構成している。更に、装着筒４０内上端部には一対のリブ４６を突設し、また、板状突起４７を突設している。
【００２９】
本例に於けるポンプヘッドＣは、図３に示す如く、連結片４５を上方に起立してその上方に栓体４２を立設した状態で一体成形される。この際、横流路ｐ１の後端は開口されているため、横流路ｐ１及び縦流路ｐ２を形成する金型の型抜きが極めて無理なく行える利点がある。即ち、横流路ｐ１では後端開口より後方への型抜きが行え、また、縦流路ｐ２の場合には下方への型抜きが行えるためである。
【００３０】
図５及び図６は他の例を示すもので、本例では、栓体４２を別体に形成した例を示す。図１の例に於いて、頂板４３ａの後端部を横断する凹部４４を形成しており、栓体４２は、凹部４４内に嵌合させて押圧用筒４３の外形を復元する基部４２ａと、基部４２ａの前面より突設した、横流路ｐ１内に液密に嵌着する筒状の栓部４２ｂとで構成している。この場合にも、横流路ｐ１及び縦流路ｐ２内の型抜きは図１の例と同様である。その他の構成は図１の例と同様であるため、同符号を付して説明を省略する。
【符号の説明】
【００３１】
Ａ：容器体
１０…胴部、１１…肩部、１２…口頸部
Ｂ：ポンプ
Ｂ１：固定吸引部
２０…装着キャップ、２１…シリンダ、２２…吸込み弁、２３…保護キャップ、２４…パイプ
Ｂ２：作動噴出部
３０…ピストン、３１…ステム、３２…玉弁、３３…吐出弁
ｓ：コイルスプリング
Ｃ：ポンプヘッド
４０…装着筒、４１…ノズル、４１ａ…横筒、４１ｂ…縦筒、４２…栓体、
４２ａ…基部、４２ｂ…栓部、４３…押圧用筒、４３ａ…頂板、４３ｂ…周壁、
４４…凹部、４５…連通片、４６…リブ、４７…板状突起、ｈ…連通孔、
ｐ１…横流路、ｐ２…縦流路    
【図１】
0005594736.tif 000002
【図２】
0005594736.tif 000003
【図３】
0005594736.tif 000004
【図４】
0005594736.tif 000005
【図５】
0005594736.tif 000006
【図６】
0005594736.tif 000007